(57)【要約】【課題】晴れの日でも雨の日でも楽しむことができ、街にゆとりや癒しを生み出し、利用者が自然や地球環境に対してやさしくなり、人々のコミュニケーション形成にも寄与しうるような、雨を活用する休憩施設を提供する。【解決手段】本発明の休憩施設は、屋外の地表面上に立設された支柱２の上部に傘部３が設けられるとともに、該支柱２の脚元付近に足浴池８が設けられ、上記傘部３の天面には太陽電池パネル９と雨水収集用の凹部４とが設けられて、該凹部４で集められた雨水が支柱２に沿って流下し、濾過装置６を経由して、上記支柱２の近傍又はその地下に設置された貯水タンク７内に貯留され、上記太陽電池パネル９で発電された電力を利用して貯水タンク７内の雨水が足浴池８に供給されるように構成される。【選択図】図１
2010144438.tif 000002
【特許請求の範囲】
【請求項１】
屋外の地表面上に立設された支柱の上部に傘部が設けられるとともに、該支柱の脚元付近に足浴池が設けられ、上記傘部の天面には太陽電池パネルと雨水収集用の凹部とが設けられて、該凹部で集められた雨水が支柱に沿って流下し、濾過装置を経由して、上記支柱の近傍又はその地下に設置された貯水タンク内に貯留され、上記太陽電池パネルで発電された電力を利用して貯水タンク内の雨水が足浴池に供給されるように構成された休憩施設。
【請求項２】
請求項１に記載の休憩施設において、
貯水タンクには、太陽電池パネルで発電された電力を利用するボイラが接続され、該ボイラによって温められた雨水が足浴池に供給されることを特徴とする休憩施設。
【請求項３】
請求項１又は２に記載の休憩施設において、
貯水タンクには、太陽電池パネルで発電された電力を利用するミスト散布装置が接続され、該ミスト散布装置によって霧状化された雨水が支柱や足浴池の周囲に散布されることを特徴とする休憩施設。
【請求項４】
請求項１〜３のいずれか一項に記載の休憩施設において、
収集された雨水の酸性度を測定するｐＨ測定器と、太陽電池パネルで発電された電力を利用して上記ｐＨ測定器による測定値を電気的に視覚化する表示装置とを備えることを特徴とする休憩施設。
【請求項５】
請求項４に記載の休憩施設において、表示装置は光の色変化によってｐＨ値を表示するものであることを特徴とする休憩施設。
【発明の詳細な説明】
【技術分野】
【０００１】
本発明は、日よけや雨よけを兼ねる休息のための小施設として、例えば公園、公共広場、街路脇の公開空地等に設けられる休憩施設に関し、特に、雨水を活用する点に特徴を有する休憩施設に関する。
【背景技術】
【０００２】
公園や広場等、不特定多数の人が集まる屋外空間には、休息のために、ベンチや椅子を備えた東屋、或いはパーゴラと称される小施設がしばしば設置される。この種の小施設には、日よけや雨よけのために、簡単な屋根、或いは庇を設けるのが一般的である。また、この種の小施設には、それ自体が添景物となりえるような装飾的意匠が施されることも多い。
【０００３】
近年、かかる小施設においては、太陽光発電を利用して、当該小施設内の照明や暖房を行うことがある。例えば特許文献１には、バス停留所に設ける屋根付きの休憩施設として、ベンチの上方を覆う屋根に偏平な水槽を設け、その水槽の底面に太陽電池パネルを敷設し、太陽光によって水槽内の水を温めるとともに、太陽電池パネルで発電した電力によりファンとポンプを駆動し、地上に設置した放熱器に温めた水を循環させて、その放熱器からベンチに向けて温風を吹き出す、という構成の施設が提案されている。
【特許文献１】特開平９−６０９８０号公報
【発明の開示】
【発明が解決しようとする課題】
【０００４】
一般に、晴れの日は「良い天気」、雨の日は「悪い天気」と表現されるが、わが国における平均的な天候は、およそ１／３が雨や雪である。上記従来のように、晴れた日の太陽光を利用するだけの施設では、雨の日には施設の機能や効用を十分に享受できない。そのため、雨の日でも楽しく、或いは快適に利用できる屋外施設が求められるところである。
【０００５】
また、特に都市部では、自然を身近に感じることが難しい。日常の生活は自然の恵みに支えられており、晴れと雨の循環によって自然のサイクルが成り立っていることを、多くの人々が意識しにくい状況にある。都市部の人工的な環境の中で、気ぜわしく窮屈な生活を送っている人々が、自然の流れや地球環境に対して意識を向けることができ、ゆったりとした気分で温かいコミュニケーションを形成することができるような場所も求められる。
【０００６】
本願発明は、上記のような概念に基づいてなされたもので、晴れの日でも雨の日でも楽しむことができ、街にゆとりや癒しを生み出し、利用者が自然や地球環境に対してやさしくなり、人々のコミュニケーション形成にも寄与しうるような、雨を活用する休憩施設を提供することを目的とするものである。
【課題を解決するための手段】
【０００７】
上記した目的を達成するため、本発明の休憩施設は、屋外の地表面上に立設された支柱の上部に傘部が設けられるとともに、該支柱の脚元付近に足浴池が設けられ、上記傘部の天面には太陽電池パネルと雨水収集用の凹部とが設けられて、該凹部で集められた雨水が支柱に沿って流下し、濾過装置を経由して、上記支柱の近傍又はその地下に設置された貯水タンク内に貯留され、上記太陽電池パネルで発電された電力を利用して貯水タンク内の雨水が足浴池に供給されるように構成される。
【０００８】
この発明は、雨水を集めて、休息、憩い、コミュニケーション等のための演出要素に利用しようとするものである。支柱の上部に傘部を形成した造形物は、晴れた日には日陰をつくり、太陽電池パネルで太陽光をエネルギーとして蓄える一方、雨の日には、雨宿りの場として人を休ませながら、雨水を集めて濾過し、貯める。この雨水は、支柱の脚元付近に設けられた浅い足浴池に供給される。人々は、足浴池の縁に腰掛けるなどして水面を鑑賞し、暑い日には足浴池に素足を浸しながら、快適に休憩することができる。太陽電池パネルによって発電された電力エネルギーを蓄電池等に蓄えて、ポンプ等を駆動させる構成を採用すれば、太陽光と雨の恵みを最大限に利用するシステムが実現する。
【０００９】
貯水タンクには、太陽電池パネルで発電された電力を利用するボイラが接続され、該ボイラによって温められた雨水が足浴池に供給されるように構成してもよい。この構成によれば、寒い日には足湯を楽しむことも可能になる。
【００１０】
また、貯水タンクには、太陽電池パネルで発電された電力を利用するミスト散布装置が接続され、該ミスト散布装置によって霧状化された雨水が支柱や足浴池の周囲に散布されるように構成してもよい。この構成は、ミストの気化熱によって周囲の気温を下げるものであり、特に真夏の都市部におけるヒートアイランド対策として、この場に集まる多くの人に涼を与えることができる。
【００１１】
さらに、この休憩施設は、収集された雨水の酸性度を測定するｐＨ測定器と、太陽電池パネルで発電された電力を利用して上記ｐＨ測定器による測定値を電気的に視覚化する表示装置とを備えたものとしてもよい。雨水を収集して濾過し、貯留する経路の一部に、雨の酸性度を表示する機能を設けることにより、この休憩施設は、人々に、その地域の環境状態を伝達する情報発信装置となる。このような態様によって、人々は、雨を情緒的に楽しむだけでなく、科学的な観点からも意識することができるようになり、環境問題への、より積極的な関与を促進する。
【００１２】
この構成における表示装置は、光の色変化、例えばＬＥＤランプのＲＧＢ制御によってｐＨ値を表示するものとするのが好ましく、このような構成によって、雨の意味を強く印象づけることができる。
【発明の効果】
【００１３】
上述のように構成される本発明の休憩施設によれば、晴れの日には太陽光の恩恵を、また雨の日には水の恵みを、多くの利用者が享受することができる。このような休憩施設を公共的な空間に設置すれば、利用者は、街中での生活に一層のゆとりや癒しを見出すことができ、自然や地球環境に対する意識を深めることもできる。また、雨水を蓄えた足浴池を囲む場の雰囲気によって、人々のコミュニケーション形成も促進される。
【発明を実施するための最良の形態】
【００１４】
以下、本発明の実施の形態について図を参照して説明する。
【実施例１】
【００１５】
図１〜図４は本発明の第１実施例を示す。本発明は、屋外の地表面上に立設された支柱２と、その上部から外方に張り出す傘部３とを有する、少なくとも１体の略傘状、或いは略キノコ状の造形物１を中心にして構成される。この造形物１は、例えば木質材、金属材、プレキャストコンクリート、レジンコンクリート、セラミック系材料、合成樹脂系材料、その他適宜の材料によって、或いはそれらを複合的に組み合わせるなどして形成される。図３及び図４に示した設置イメージは、公園や公開空地等の一角において、複数体の造形物１が高さに変化をつけて適宜間隔で立設され、それら造形物１の「群」として、ひとまとまりの休息スペースを形成している態様である。
【００１６】
各造形物１における傘部３の天面は凹んでおり、これが雨水収集用の凹部４となっている。図２（ａ）に示すように、雨の日に、この凹部４で集められた雨水は、支柱２の内部に配設された縦管５を通じて流下する。その流路の途中には適宜の濾過装置６が設けられて、雨水中のゴミや不純物が除去される。濾過された雨水は、支柱２の脚元地下に埋設された貯水タンク７内に貯留される。
【００１７】
支柱２の脚元付近には、地表面を堀り込むか、或いは周壁で囲むなどして、適度な大きさと深さを備えた足浴池８が、少なくとも一ヶ所に設けられる。この足浴池８には、貯水タンク７に蓄えられた雨水が、地中の雨水配管を経由して供給され、概ね１０〜３０ｃｍ程度の深さで水が溜められる。
【００１８】
傘部３の天面には太陽電池パネル９が取り付けられている。図２（ｂ）に示すように、晴れた日に、この太陽電池パネル９で発電された電力が、例えば支柱２の脚元などに設置された蓄電池１０に蓄えられる。この蓄電池１０は、適宜の制御装置を介して、ポンプ１１、ボイラ１２、ミスト散布装置（図示せず）等に接続されており、それらの装置類に駆動用の動力を供給する。
【００１９】
ポンプ１１は、貯水タンク７内の雨水を加圧して足浴池８に供給し、必要に応じて循環させるために運転される。図２（ｃ）に示すように、利用者は、足浴池８の周壁に腰掛けて休憩しながら水面を鑑賞することができる。暑い日には靴を脱ぎ、足浴池８に素足を浸して涼を採ることもできる。夏季には、足浴池８の周囲を濡らす水が、打ち水効果を奏して周囲を涼しくする。真夏の猛暑日には、貯水タンク７内の雨水がミスト散布装置を介して霧状化され、造形物１の周囲に散布される。ミストの気化熱が周囲の気温を下げることにより、心地よい涼感が得られる。
【００２０】
また、寒い日には、貯水タンク７内の雨水をボイラ１２で加熱して足浴池８に供給する。図２（ｄ）に示すように、利用者は、いわゆる足湯のようにして足浴池８の温湯内に足を浸しながら、身体を温めることができる。加熱された温湯は、足浴池８だけでなく、例えば、周壁の内部に配設した暖房用配管等を循環させて、座る部分を温めるのに利用することもできる。
【００２１】
本発明の休憩施設は、上述のような構成によって、晴れた日も雨の日も、また寒い季節も暑い季節も、太陽と雨の恵みを様々な態様で享受し、楽しむことを可能にするものである。なお、上述の構成や利用態様において、傘部３で集められる雨水の水量が乏しい場合には、もちろん上水道の水を補充してもよいし、また、太陽電池パネル９で発電される電気エネルギー量が不足する場合には、一般商用電源を補充的に利用してもよい。
【実施例２】
【００２２】
図５〜図８は本発明の第２実施例を示す。本実施例に示した造形物１は、近接して立設された２本の支柱２（２Ａ、２Ｂ）が、それぞれの上部で拡径しつつ融合して、上面視略円形の傘部３に一体化した形状を有している。各支柱２は、細いステンレス鋼棒材等からなるフレーム材を複数本、束ねて、その基部を地中のコンクリート基礎１３に結合し、上方に伸びた部分を外方に湾曲させた構造を有している。２本の支柱２（２Ａ、２Ｂ）を構成するそれぞれのフレーム材は、傘部３の外周縁を構成する一つのリング材に結合される。そして、リング材から、一方の主たる支柱２Ａを構成する一束のフレーム材にかけて、その内側に、例えば光触媒テント生地等からなる膜材１４を張設することにより、上向きに開口する略ラッパ状の凹部４と、それに連続する縦管５とが形成されている。他方の従たる支柱２Ｂは、フレーム材の間が見通せる状態で立設されている。
【００２３】
この造形物１は、公園や街路脇、公開空地などの場所に、単独で、或いは複数体を適宜間隔で近接させて立設され、傘部３の下方空間が休息や雨宿りのためのスペースとして利用される。なお、この造形物１の脚元付近にも、適当な大きさの足浴池８が少なくとも一ヶ所に設けられるが、図５〜図８では記載を省いている。
【００２４】
図６及び図８に示すように、傘部３の天面、すなわちリング材に張設した膜材１４の口縁部分には、上面視略弓形の太陽電池パネル９が設置されて、太陽光による発電を行う。発電によって得られた電気エネルギーは、例示形態にあっては図６に示すように、従たる支柱２Ｂの中程に設置された蓄電池１０に蓄えられる。蓄電池１０の近傍には制御装置１５が設けられており、この制御装置１５が、主たる支柱２Ａの中程に設けられたｐＨ測定器１６及び表示装置１７に接続されている。
【００２５】
ｐＨ測定器１６は、凹部４に収集された雨水の酸性度を測定する器具であって、例えばガラス電極を用いた公知のｐＨ計等を利用して構成される。また、表示装置１７は、測定されたｐＨ値が数字でデジタル表示される類の表示パネルを備えるほか、例えば、複数個のＬＥＤランプユニットと色変換器とを有して、ＬＥＤランプユニットの光を、主たる支柱２Ａに張設した膜材１４の外表面に照射するように構成される。ＬＥＤランプユニットには、例えばＲＧＢ三色の発光素子が一体的にモールドされたフルカラータイプの高輝度ＬＥＤチップが利用される。色変換器は、測定されたｐＨ値に応じて、例えば雨水の酸性度が高ければＬＥＤの発光色を赤く、酸性度が低ければ青くするように、発光素子のＲＧＢ制御を行う。
【００２６】
このような構成を採用すれば、特に夜間において、造形物１の外観が、雨水の酸性度に応じ赤みを帯びた光や青みを帯びた光で照射されるという、幻想的で美しい視覚効果が演出される。さらに、造形物１が、その地域の環境状態を伝達する情報発信装置として、人々に環境問題を意識づけるという効果も奏する。
【図面の簡単な説明】
【００２７】
【図１】本発明の第１実施例に係る休憩施設の基本的な構造モデルを示す模式断面図である。
【図２】本発明の第１実施例に係る休憩施設の、複数種類の利用態様を示す概念図である。
【図３】本発明の第１実施例に係る休憩施設を設置した広場のイメージを示す断面略図である。
【図４】本発明の第１実施例に係る休憩施設を設置した広場のイメージを示す斜視図である。
【図５】本発明の第２実施例に係る休憩施設の概略側面図である。
【図６】本発明の第２実施例に係る休憩施設のシステム構成を示す模式図である。
【図７】本発明の第２実施例に係る休憩施設の概略構造を示す上面図である。
【図８】本発明の第２実施例に係る休憩施設の概略構造を示す模式分解図である。
【符号の説明】
【００２８】
１  造形物
２  支柱
３  傘部
４  凹部
６  濾過装置
７  貯水タンク
８  足浴池
９  太陽電池パネル
１２  ボイラ
１６  ｐＨ測定器
１７  表示装置
【図１】
2010144438.tif 000003
【図２】
2010144438.tif 000004
【図３】
2010144438.tif 000005
【図４】
2010144438.tif 000006
【図５】
2010144438.tif 000007
【図６】
2010144438.tif 000008
【図７】
2010144438.tif 000009
【図８】
2010144438.tif 000010